(57)【要約】【課題】設定・登録していない通信相手から電子メールを受信した場合でも、ユーザが電子メールの重要度を容易かつ確実に判別できる携帯電話装置及び電子メール内容判別方法を提供する。【解決手段】情報を表示する表示手段４２と、表示手段４２に表示された情報を所定の色に施す発光手段４６と、電子メールのタイトル文字に含まれる所定の情報又はメール本文に含まれる所定の情報を記憶する記憶手段４０Ｂと、記憶手段４０Ｂに記憶された所定の情報が受信した電子メールのタイトル文字又はメール本文に含まれているか否かを判別し、記憶手段４０Ｂに記憶された所定の情報がタイトル文字又はメール本文に含まれていると判別された場合に、電子メールのタイトル文字又は／及びタイトル文字を表示している行を所定の色に施すように発光手段４６を発光制御する制御手段３６と、を有する構成とした。【選択図】      図１
2006031622.tif 000002
【特許請求の範囲】
【請求項１】
情報を表示する表示手段と、
前記表示手段に表示された情報又は／及び前記表示手段の所定の表示領域を所定の色に施す発光手段と、
所定の情報を記憶する記憶手段と、
前記記憶手段に記憶された所定の情報が受信した電子メールのタイトル文字又はメール本文に含まれているか否かを判別し、前記記憶手段に記憶された所定の情報が前記タイトル文字又は前記メール本文に含まれていると判別された場合に、前記電子メールの前記タイトル文字又は／及び前記タイトル文字を表示している行を所定の色に施すように前記発光手段を発光制御する制御手段と、
を有することを特徴とする携帯電話装置。
【請求項２】
情報を表示する表示手段と、
所定の情報と、所定のマークと、をそれぞれ記憶する記憶手段と、
前記記憶手段に記憶された所定の情報が受信した電子メールのタイトル文字又はメール本文に含まれているか否かを判別し、前記記憶手段に記憶された所定の情報が前記タイトル文字又は前記メール本文に含まれていると判別された場合に、前記記憶手段に記憶された所定のマークを前記表示手段の所定の位置に表示する制御手段と、
を有することを特徴とする携帯電話装置。
【請求項３】
記憶手段に記憶された所定の情報が受信した電子メールのタイトル文字又はメール本文に含まれているか否かを制御手段により判別する判別工程と、
前記判別工程で前記記憶手段に記憶された所定の情報が受信した電子メールのタイトル文字又はメール本文に含まれていると前記制御手段により判別された場合に、発光手段が前記制御手段により発光制御され、電子メールのタイトル文字又は／及びタイトル文字を表示している行を所定の色に施す制御工程と、
を有することを特徴とする電子メール内容判別方法。
【請求項４】
記憶手段に記憶された所定の情報が受信した電子メールのタイトル文字又はメール本文に含まれているか否かを制御手段により判別する判別工程と、
前記判別工程で前記記憶手段に記憶された所定の情報が受信した電子メールのタイトル文字又はメール本文に含まれていると制御手段により判別された場合に、制御手段により前記記憶手段に記憶された所定のマークを表示手段の所定の位置に表示する制御工程と、
を有することを特徴とする電子メール内容判別方法。
【発明の詳細な説明】
【技術分野】
【０００１】
本発明は、電子メールの送受信が可能な携帯電話装置に関するものであり、特に電子メールの重要度が容易かつ確実に判別できる携帯電話装置及び電子メール内容判別方法に関する。
【背景技術】
【０００２】
従来の携帯電話装置として、発信時の電話帳による検索確認や着信時の通信相手の確認において、電話番号又は名前等の文字情報と、相手の写真や似顔絵等の画像情報とを重ね合わせて表示することにより、確認操作や手間を必要とせず、直感的で視認性に優れた表示を行うことができる携帯電話装置が知られている（下記特許文献１参照）。
【特許文献１】特開２００２−２０８９９４号公報
【発明の開示】
【発明が解決しようとする課題】
【０００３】
ところで、従来の携帯電話装置では、予め、通信相手と、表示部に表示させる文字情報又は画像情報と、を対応付けて設定・登録しなければならないため、複雑な操作が必要となる問題がある。
【０００４】
また、設定・登録した通信相手から着信したときにしか文字情報や画像情報が表示されないため、設定・登録していない通信相手から着信した場合には表示部に所定の文字情報又は画像情報が表示されない。このため、設定・登録していない通信相手から重要な内容の電子メールを受信したときに、ユーザに注意を促すことができない問題がある。
【０００５】
そこで、本発明は、上記事情を考慮し、設定・登録していない通信相手から電子メールを受信した場合でも、ユーザが電子メールの重要度を容易かつ確実に判別できる携帯電話装置及び電子メール内容判別方法を提供することを目的とする。
【課題を解決するための手段】
【０００６】
請求項１に記載の発明は、情報を表示する表示手段と、前記表示手段に表示された情報又は／及び前記表示手段の所定の表示領域を所定の色に施す発光手段と、電所定の情報を記憶する記憶手段と、前記記憶手段に記憶された所定の情報が受信した電子メールのタイトル文字又はメール本文に含まれているか否かを判別し、前記記憶手段に記憶された所定の情報が前記タイトル文字又は前記メール本文に含まれていると判別された場合に、前記電子メールの前記タイトル文字又は／及び前記タイトル文字を表示している行を所定の色に施すように前記発光手段を発光制御する制御手段と、を有することを特徴とする。
【０００７】
請求項２に記載の発明は、情報を表示する表示手段と、所定の情報と、所定のマークと、をそれぞれ記憶する記憶手段と、前記記憶手段に記憶された所定の情報が受信した電子メールのタイトル文字又はメール本文に含まれているか否かを判別し、前記記憶手段に記憶された所定の情報が前記タイトル文字又は前記メール本文に含まれていると判別された場合に、前記記憶手段に記憶された所定のマークを前記表示手段の所定の位置に表示する制御手段と、を有することを特徴とする。
【０００８】
請求項３に記載の発明は、記憶手段に記憶された所定の情報が受信した電子メールのタイトル文字又はメール本文に含まれているか否かを制御手段により判別する判別工程と、前記判別工程で前記記憶手段に記憶された所定の情報が受信した電子メールのタイトル文字又はメール本文に含まれていると前記制御手段により判別された場合に、発光手段が前記制御手段により発光制御され、電子メールのタイトル文字又は／及びタイトル文字を表示している行を所定の色に施す制御工程と、を有することを特徴とする。
【０００９】
請求項４に記載の発明は、記憶手段に記憶された所定の情報が受信した電子メールのタイトル文字又はメール本文に含まれているか否かを制御手段により判別する判別工程と、前記判別工程で前記記憶手段に記憶された所定の情報が受信した電子メールのタイトル文字又はメール本文に含まれていると制御手段により判別された場合に、制御手段により前記記憶手段に記憶された所定のマークを表示手段の所定の位置に表示する制御工程と、を有することを特徴とする。
【発明の効果】
【００１０】
請求項１に記載の発明によれば、記憶手段に記憶された所定の情報が受信した電子メールのタイトル文字又はメール本文に含まれているか否かが制御手段により判別される。記憶手段に記憶された所定の情報が受信した電子メールのタイトル文字又はメール本文に含まれていると制御手段により判別された場合には、発光手段が制御手段により発光制御され、電子メールのタイトル文字又は／及びタイトル文字を表示している行が所定の色に施される。この結果、ユーザが表示手段に表示された電子メールのタイトル文字又は／及びタイトル文字を表示している行の色を視認することにより、受信した電子メール内容の重要度を容易かつ確実に判別できる。
【００１１】
なお、本明細書において、「情報」とは、文字、アイコン、画像、所定のカッコのついた文字（例えば、〔緊急〕など）など、表示手段に表示可能な情報を意味するものとする。
【００１２】
請求項２に記載の発明によれば、記憶手段に記憶された所定の情報が受信した電子メールのタイトル文字又はメール本文に含まれているか否かが制御手段により判別される。記憶手段に記憶された所定の情報が受信した電子メールのタイトル文字又はメール本文に含まれていると制御手段により判別された場合には、制御手段により記憶手段に記憶された所定のマークが表示手段の所定の位置に表示される。この結果、ユーザが表示手段の所定の位置に表示された所定のマークを視認することにより、受信した電子メール内容の重要度を容易かつ確実に判別できる。
【００１３】
請求項３に記載の発明によれば、判別工程において、記憶手段に記憶された所定の情報が受信した電子メールのタイトル文字又はメール本文に含まれているか否かが制御手段に判別される。判別工程で記憶手段に記憶された所定の情報が受信した電子メールのタイトル文字又はメール本文に含まれていると制御手段により判別された場合には、制御工程において、発光手段が前記制御手段により発光制御され、電子メールのタイトル文字又は／及びタイトル文字を表示している行が所定の色に施される。この結果、ユーザが表示手段に表示された電子メールのタイトル文字又は／及びタイトル文字を表示している行の色を視認することにより、受信した電子メール内容の重要度を容易かつ確実に判別できる。
【００１４】
請求項４に記載の発明によれば、判別工程において、記憶手段に記憶された所定の情報が受信した電子メールのタイトル文字又はメール本文に含まれているか否かが制御手段により判別される。判別工程で記憶手段に記憶された所定の情報が受信した電子メールのタイトル文字又はメール本文に含まれていると制御手段により判別された場合には、制御工程において、制御手段により記憶手段に記憶された所定のマークが表示手段の所定の位置に表示される。この結果、ユーザが表示手段の所定の位置に表示された所定のマークを視認することにより、受信した電子メール内容の重要度を容易かつ確実に判別できる。
【発明を実施するための最良の形態】
【００１５】
次に、本発明の一実施形態に係る携帯電話装置について、図面を参照して説明する。
【００１６】
図１に示すように、携帯電話装置１０は、アンテナ１６と接続された通信部１２を備えている。この通信部１２は、後述のベースバンド部１４からの信号をアンテナ１６を介して基地局へ発信し、あるいはアンテナ１６を介して基地局からの電波を受信する。
【００１７】
また、通信部１２は、ベースバンド部１４と接続されている。ベースバンド部１４は、ＣＤＭＡ処理回路１８と、音声コーデック２０と、を有している。ここで、ＣＤＭＡ処理回路１８は、符号分割多元接続、スクランブル、誤り制御、タイミング検出を行う。また、音声コーデック２０は、音声を圧縮（符号化）、伸張（復号化）したり、アナログとデジタルの変換を行ったり、内部の増幅回路（図示省略）により受話音量やマイクロホンの感度を変更する。
【００１８】
また、ベースバンド部１４には、切替回路２２が接続されている。この切替回路２２には、増幅回路２４を介して第１スピーカ２６が接続されている。この第１スピーカ２６は、増幅回路２４で増幅されたベースバンド部１４の電気信号を音声に変換する。この第１スピーカ２６は、ユーザの耳にあてて通話に使用される。
【００１９】
また、切替回路２２には、増幅回路２８を介してマイクロホン３０が接続されている。このマイクロホン３０は、通話に使用され、音声を電気信号に変換する。マイクロホン３０により出力された電気信号は、増幅回路２８で増幅されてベースバンド部１４に出力される。
【００２０】
また、切替回路２２には、増幅回路３２を介して第２スピーカ３４が接続されている。この第２スピーカ３４は、増幅回路３２で増幅されたベースバンド部１４の電気信号を音声に変換する。この第２スピーカ３４は、受話音を周囲の人にも聞かせるための拡声用のスピーカである。また、第２スピーカ３４は、着信報知の鳴動も行う。なお、これらの３つの増幅回路２４、２８、３２は、ゲインを固定しており、第１スピーカ２６及び第２スピーカ３４の音量やマイクロホン３０の感度を変更することはできないようになっている。
【００２１】
この切替回路２２は、ベースバンド部１４との接続を、第１スピーカ２６用の増幅回路２４とマイクロホン３０用の増幅回路２８側にするか、あるいは拡声用の第２スピーカ３４用の増幅回路３２とマイクロホン３０用の増幅回路２８側にするかを切り替える。
【００２２】
また、通信部１２、ベースバンド部１４及び切替回路２２には、制御回路３６がそれぞれ接続されている。この制御回路３６の制御により上述した切替回路２２による切り替えが行われる。また、制御回路３６によりベースバンド部１４の音声コーデック２０が制御され、音声コーデック２０により第１スピーカ２６及び第２スピーカ３４の音量やマイクロホン３０の感度が変更される。制御回路３６は、ＲＯＭ３８と接続されており、ＲＯＭ３８に格納されているシステムプログラムに基づき各部を制御する。また、制御回路３６は、制御回路３６の動作に必要な所定の情報が記憶されているＲＡＭ４０と接続されている。
【００２３】
ここで、図３に示すように、ＲＡＭ４０は、電子メールデータ記憶部４０Ａと、重要度判別ルール記憶部４０Ｂと、を有している。
【００２４】
電子メールデータ記憶部４０Ａは、受信した電子メールを一時的に記憶する。
【００２５】
重要度判別ルール記憶部４０Ｂは、ＬＥＤ素子（詳細は後述）を発光させるきっかけとなる重要な情報が記憶されている。例えば、特定の文字、アイコン、画像、所定のカッコのついた文字（例えば、〔緊急〕など）などの文字情報又は／及び画像情報が記憶されている。
【００２６】
また、制御回路３６は、重要度判別ルール記憶部４０Ｂに記憶されている所定の情報が受信した電子メールのタイトル文字又は及びメール本文に含まれているか否かを判断する。
【００２７】
さらに、重要度判別ルール記憶部４０Ｂに記憶されている所定の情報が受信した電子メールのタイトル文字又は及びメール本文に含まれていると制御回路３６が判別した場合には、例えば「赤色」のＬＥＤ素子が発光する命令を照明部４６（後述）に出力する。
【００２８】
なお、重要度判別ルール記憶部４０Ｂに記憶されている所定の情報が受信した電子メールのタイトル文字又は及びメール本文に含まれていないと制御回路３６が判別した場合には、発光命令は照明部４６に出力されない。
【００２９】
また、制御回路３６には、液晶のディスプレイ４２が接続されている。このディスプレイ４２には、現在の時刻、電話番号、電子メールのタイトル文字及びメール本文等の所定の情報が表示される。
【００３０】
また、制御回路３６には、入力部４４が接続されている。この入力部４４は、電話番号等の入力を行うテンキー４８と、通話の開始を操作する通話キー５０と、通話の終了を操作する切キー５２と、各種機能の設定を行う機能キー５４と、を有している。
【００３１】
また、制御回路３６には、「赤色」のＬＥＤ素子を備えた照明部４６が接続されている。照明部４６のＬＥＤ素子の発光により、電子メールのタイトル文字又はタイトル文字を表示している行が赤色に施される。
【００３２】
なお、ＬＥＤ素子の色は、「赤色」に限られるものではなく、ユーザの注意を喚起する色であれば、「青色」、「黄色」など他の色でもよい。
【００３３】
また、照明部４６に複数色のＬＥＤ素子を設けることにより、電子メールのタイトル文字とタイトル文字を表示している行とがそれぞれ別々の色に施されるようにしてもよい。
【００３４】
次に、本実施形態に係る携帯電話装置１０を用いた電子メール内容判別方法について、図２に示すフローチャートに基づいて説明する。
【００３５】
図２に示すように、照明部４６のＬＥＤ素子を発光させるきっかけとなる重要な（所定の）情報をＲＡＭ４０の重要度判別ルール記憶部４０Ｂに記憶させる（ステップ１００）。ステップ１００では、具体的に、特定の文字、アイコン、画像、所定のカッコのついた文字（例えば、〔緊急〕など）などの文字情報又は／及び画像情報が記憶される。
【００３６】
アンテナ１６を介して電子メールが通信部１２に受信される（ステップ１１０）と、ＲＡＭ４０の重要度判別ルール記憶部４０Ｂに記憶された所定の情報が受信した電子メールのタイトル文字又はメール本文に含まれているか否かが制御回路３６により判別される（判別工程、ステップ１２０）。このとき、制御回路３６は、ＲＡＭ４０の重要度判別ルール記憶部４０Ｂに記憶された所定の情報が受信した電子メールのタイトル文字又はメール本文に含まれていると判断した場合には、ＬＥＤ素子が発光する命令を照明部４６に出力する（制御工程、ステップ１３０）。これにより、電子メールのタイトル文字又はタイトル文字を表示している行が赤色に施される。
【００３７】
なお、照明部４６に複数色のＬＥＤ素子が設けられていれば、電子メールのタイトル文字とタイトル文字を表示している行とを別々の色に施すようにしてもよい。
【００３８】
一方、ＲＡＭ４０の重要度判別ルール記憶部４０Ｂに記憶された所定の情報が受信した電子メールのタイトル文字又はメール本文に含まれていないと制御回路３６が判断した場合には、ＬＥＤ素子が発光する命令は照明部４６に出力されない。このため、電子メールのタイトル文字又は／及びタイトル文字を表示している行が赤色に施されることがない。
【００３９】
なお、タイトル文字のディスプレイ４２における表示方法として、１件のタイトル文字を１行に表示してもよく、また、複数件のタイトル文字を一覧表示してもよい。
【００４０】
以上のように、本実施形態の携帯電話装置１０によれば、ＲＡＭ４０の重要度判別ルール記憶部４０Ｂに記憶された重要な情報が受信した電子メールのタイトル文字又はメール本文に含まれている場合に、電子メールのタイトル文字又はタイトル文字を表示している行が赤色に施されるため、ユーザがディスプレイ４２を視認することにより、重要な電子メールを瞬時に見分けることができる。
【００４１】
特に、従来の携帯電話装置のように、予め通信相手と、ディスプレイに表示させる文字情報又は画像情報と、を対応付けて設定・登録する必要がないため、複雑な操作が不要となる。
【００４２】
また、ＲＡＭ４０の重要度判別ルール記憶部４０Ｂに記憶された重要な情報が受信した電子メールのタイトル文字又はメール本文に含まれている場合に、電子メールのタイトル文字又はタイトル文字を表示している行が赤色に施されるため、受信した電子メールの通信相手先によらず、重要な電子メールを全て見分けることができる。
【００４３】
次に、上記実施形態の携帯電話装置１０の変形例について説明する。
【００４４】
上記実施形態の携帯電話装置１０では、ＲＡＭ４０の重要度判別ルール記憶部４０Ｂに記憶された重要な（所定の）情報が受信した電子メールのタイトル文字又はメール本文に含まれている場合に、電子メールのタイトル文字又はタイトル文字を表示している行が赤色に施される例を説明したが、これに限られるものではない。
【００４５】
例えば、予めユーザが、所定のマークをＲＡＭ４０の重要度判別ルール記憶部４０Ｂに記憶させておき、ＲＡＭ４０の重要度判別ルール記憶部４０Ｂに記憶された重要な情報が受信した電子メールのタイトル文字又はメール本文に含まれている場合に、制御回路３６によりディスプレイ４２を制御して、ディスプレイ４２の所定の位置にそのマークを表示させるようにしてもよい。具体的には、電子メールのタイトル文字の先頭部分や、重要な文字の近傍部分にそのマークを表示させることにより、ユーザに注意を喚起させることができる。
【００４６】
また、上記実施形態では、照明部４６の所定のＬＥＤ素子を発光することにより、電子メールのタイトル文字又はタイトル文字を表示している行が赤色に施される例を説明したが、制御回路３６が、特定のタイトル文字又はタイトル文字を表示している行のデータを、他の表示領域と異なる色を付けたデータにしてディスプレイ４２に送信し、ディスプレイ４２に色の付いた文字データ等を表示する構成としても良い。このような構成とすることにより、照明部４６として白色ＬＥＤ素子のみを用いた場合にも、色の異なる文字や行をディスプレイ４２に表示することが可能であり、ＬＥＤ素子のコストダウンを実現することができる。更に、文字表示の背景色を異なるようにして注意を喚起させても良い。
【００４７】
更に、所定の画像や文字等を、受信したメールのタイトルや本文を表示する際に背景として表示する構成としても良い、このような構成とすることにより、緊急のメールであるか否かといったメールの重要度を直ぐに知ることが可能である。尚、このような構成とする場合、メールのタイトルや本文に所定の文字やアイコン等が含まれている場合に実施することが可能であるし、特定の相手先からメールを受信した場合に実施することも可能である。
【図面の簡単な説明】
【００４８】
【図１】本発明の一実施形態に係る携帯電話装置のブロック図である。
【図２】本発明の一実施形態に係る携帯電話装置の作用を示すフローチャートである。
【図３】本発明の一実施形態に係る携帯電話装置を構成するＲＡＭの概略構成図である。
【符号の説明】
【００４９】
１０      携帯電話装置
３６      制御回路（制御手段）
４０Ｂ    重要度判別ルール記憶部（記憶手段）
４２      ディスプレイ（表示手段）
４６      照明部（発光手段）
【図１】
2006031622.tif 000003
【図２】
2006031622.tif 000004
【図３】
2006031622.tif 000005